(57)【特許請求の範囲】
【請求項１】
部屋内に壁の一部として取り付けられる内装パネルであって、
パネル本体の上下両端部及びこれらの間に設けられた通気開口と、
前記パネル本体内に設けられ且つ前記各通気開口同士を連通する連通路と、
前記連通路内の空気を流通させると共にこの流通方向を切り替え可能な送風ファンと、
前記各通気開口を閉塞するようにして設けられた開閉自在な扉体と、
前記各扉体を開閉させ、且つ前記連通路内の空気の流通方向を切り替えるように前記送風ファンの駆動を制御する制御部と
を備え、
この制御部は、
部屋内で暖房が行なわれているときには、上下両端部にある前記通気開口を開放し且つその間にある前記通気開口を閉塞するように前記扉体を制御すると共に、上方から下方に向けて空気を流通させるように前記送風ファンを制御し、
前記部屋内で冷房が行なわれているときには、下端部にある前記通気開口及び上下両端部の間にある前記通気開口を開放し且つ上端部にある前記通気開口を閉塞するように前記扉体を制御すると共に、下方から上方に向けて空気を流通させるように前記送風ファンを制御する
ことを特徴とする、内装パネル。
【発明の詳細な説明】
【技術分野】
【０００１】
本発明は、内装パネルに関するものである。
【背景技術】
【０００２】
従来から、室内空間の空気を循環させる装置として例えば特許文献１のものが知られている。この特許文献１のものは、建物壁面の天井近傍に設けられた吸気口と床近傍に設けられた排気口とを連通する連通路内に送風ファンが設けられたものであり、この送風ファンによって天井近傍に滞留した空気を床近傍にまで流通させる。より詳細に説明すると、吸気口と排気口は内壁材に設けられており、この吸気口と排気口とを連通する連通路は、内壁材と外壁材との間に介在する断熱材層の一部を取り除いて形成される。
【先行技術文献】
【特許文献】
【０００３】
【特許文献１】特開２００２−２３９３２６号公報
【発明の概要】
【発明が解決しようとする課題】
【０００４】
ところで部屋内の温度分布は、暖気が上昇しやすいと共に冷気が下降しやすいため、偏ったものになりやすい傾向がある。ところがこの特許文献１の循環装置は、天井近傍に滞留した空気を床近傍に流通させる機能を有するに過ぎないため、仮に冷房運転により冷気が床近傍に滞留した場合には効果的な循環ができないという問題がある。
【０００５】
また居住者は部屋の床と天井との中間部分に身体が位置していることが多い。しかしこの特許文献１の循環装置は、吸気口と排気口とが天井近傍及び床近傍に設けられているに過ぎないため、居住者のいる空間の空気を重点的に循環させるといったことはできない。
【０００６】
さらにこの特許文献１の循環装置は、建物の壁の一部を取り除いて形成されているため、施工費用が多くかかるものとなっていた。
【０００７】
本発明は、上記事情に鑑みてなされたものであり、その目的とするところは、部屋の空気の循環を行なうに際し、その循環の向きや経路を変更可能とした内装パネルを提供することにある。
【課題を解決するための手段】
【０００８】
上記課題を解決するために本発明の内装パネルは以下の構成とする。
【０００９】
本発明は、部屋内に壁の一部として取り付けられる内装パネルであって、パネル本体の上下両端部及びこれらの間に設けられた通気開口と、前記パネル本体内に設けられ且つ前記各通気開口同士を連通する連通路と、前記連通路内の空気を流通させると共にこの流通方向を切り替え可能な送風ファンと、前記各通気開口を閉塞するようにして設けられた開閉自在な扉体と、前記各扉体を開閉させ、且つ前記連通路内の空気の流通方向を切り替えるように前記送風ファンの駆動を制御する制御部とを備え、この制御部は、部屋内で暖房が行なわれているときには、上下両端部にある前記通気開口を開放し且つその間にある前記通気開口を閉塞するように前記扉体を制御すると共に、上方から下方に向けて空気を流通させるように前記送風ファンを制御し、前記部屋内で冷房が行なわれているときには、下端部にある前記通気開口及び上下両端部の間にある前記通気開口を開放し且つ上端部にある前記通気開口を閉塞するように前記扉体を制御すると共に、下方から上方に向けて空気を流通させるように前記送風ファンを制御することを特徴とする。
【発明の効果】
【００１２】
本発明の内装パネルによれば、部屋の空気の循環を行なうに際し、その循環の向きや経路を変更することができる。
【図面の簡単な説明】
【００１３】
【図１】本発明の一実施形態の内装パネルの全体斜視図である。
【図２】同上の内装パネルの分解斜視図である。
【図３】（ａ）（ｂ）は、同上の扉体と送風ファンとの制御の一例を説明するための概略図である。
【図４】本実施形態の内装パネルの使用例を示す上方から見た断面図である。
【図５】他の使用例を示す上方から見た断面図である。
【発明を実施するための形態】
【００１４】
以下、本発明の実施形態について添付図面に基づいて説明する。
【００１５】
本実施形態の内装パネル１は、部屋内の壁の一部として取り付けられる壁面パネルであり、空気循環機能及び調湿機能を有する機能パネルである。この内装パネル１は、図１に示されるように、正面視左側半部を室内の調湿を行なう調湿部１１とし、正面視右側半部を室内の空気を循環させる循環部１２としている。本実施形態の内装パネル１は、内部が中空となったパネル本体２によって主体が構成される。
【００１６】
パネル本体２は、内装パネル１の外郭を形成するものであり、図１に示されるように、偏平な矩形板状をしたものである。このパネル本体２は、前面の下端部に第１の通気開口４１が設けられており、上端部に第２の通気開口４２が設けられている。さらにパネル本体２は、第１の通気開口４１と第２の通気開口４２との間の中間部に第３の通気開口４３が設けられている。これらの通気開口４１，４２，４３は、パネル本体２内部の連通路２１により連通している。本実施形態の連通路２１は、内部にハニカム調湿材７０が収容される調湿用連通路２２と、サーキュレータ用連通路２３とを有している。この調湿用連通路２２とサーキュレータ用連通路２３とは、図２に示されるように、左右に隣接するように配置されている。この連通路２１内の空気は、当該連通路２１内に設けられた送風ファン５によって流通するようになっており、各通気開口４１，４２，４３に設けられた開閉ルーバ６１を介して流出するようになっている。
【００１７】
パネル本体２は、図２に示されるように、設置した状態において室内空間から見えない部位となる背面部３と、室内空間に露出する前面部４とを備えている。この背面部３は、前側に調湿用凹所３１及びサーキュレータ用凹所３２を有しており、これらは左右に隣接している。この調湿用凹所３１と前面部４とで囲まれた部分が調湿用連通路２２となっており、サーキュレータ用凹所３２と前面部４とで囲まれた部分がサーキュレータ用連通路２３となっている。なお本実施形態のパネル本体２は、サーキュレータ用凹所３２が調湿用凹所３１よりも幅狭な構成となっている。なお、本実施形態の背面部３は上下に３つ分割された構成となっており、これらは相互に連結される。
【００１８】
パネル本体２内の調湿用凹所３１内には、流通する空気を調湿するハニカム調湿材７０が配置されている。このハニカム調湿材７０は、上下に貫通する貫通路を複数有しており、この貫通路が空気流通方向に沿うように配設される。本実施形態のハニカム調湿材７０は、第１の通気開口４１と第３の通気開口４３との間に配設される下調湿材７０ｂと、第３の通気開口４３と第２の通気開口４２との間に配設される上調湿材７０ａとに分離している。このハニカム調湿材７０は、空気との湿度差によって空気中の湿気を吸収したり放出したりするような材料により形成されている。具体的には、珪藻土、シリカ、ゼオライト、セピオライト、アタパルジャイト、モンモリロナイト、ゾノトライト等が好適に用いられる。
【００１９】
本実施形態の内装パネル１は、パネル本体２の連通路２１に送風ファン５が設けられている。この送風ファン５は、調湿用凹所３１の下端部に２つ設けられていると共にサーキュレータ用凹所３２の上下両端に１つずつ設けられている。このサーキュレータ用凹所３２内の上下一対の送風ファン５は、下方の送風ファン５が上方に向けて空気を流通させると共に上方の送風ファン５が下方に向けて空気を流通させる。このサーキュレータ用凹所３２の一対の送風ファン５は、一方が駆動しているときに他方は停止するようになっており、後述の制御部によって空気流通方向を切り替えることができるようになっている。本実施形態の送風ファン５は、シロッコファンによって構成されており、空気流入口５１が第１のまたは第２の連通開口４１，４２に臨み、空気吐出口５２が空気流通方向に沿う方向の中央側に臨んでいる。
【００２０】
パネル本体２の前面部４は、背面部３の前方開口を閉塞するように取り付けられており、前面板４０によって主体が構成される。この前面板４０には、前述のように複数の通気開口４１，４２，４３が形成されており、これら各通気開口４１，４２，４３はカバー体６２によって覆われている。このカバー体６２には回動自在な開閉ルーバ６１が設けられており、この開閉ルーバ６１は、鉛直下向きに臨んだ時に通気開口４１，４２，４３を閉塞する。この開閉ルーバ６１は、鉛直下向きから略水平方向に臨む範囲まで回動するようになっており、前記閉塞した状態から上方に回動することで通気開口４１，４２，４３を開放する。本実施形態では、この開閉ルーバ６１が扉体６を構成している。
【００２１】
本実施形態の内装パネル１は、図１，２に示されるように、パネル本体２に操作部４４が設けられている。この操作部４４は、送風ファン５や開閉ルーバ６１を操作する部分であり、制御部を介して各送風ファン５と各開閉ルーバ６１に接続されている。制御部は、内装パネル１の上部に設けられた制御回路７１によって構成されており、操作部４４からの信号に基づいて送風ファン５と開閉ルーバ６１に信号を送る。操作部４４は、送風ファン５のＯＮ／ＯＦＦや送風ファン５による風力の強弱の操作ができ、複数の送風ファン５のうち調湿部１１側に設けられた送風ファン５と循環部１２側に設けられた送風ファン５とのそれぞれ独立した操作を可能とする。また操作部４４は、上述のように連通路２１内を流通する空気の流通方向を上下に切り替えることができ、さらに各開閉ルーバ６１を自在に開閉させる。つまり使用者は、各通気開口４１，４２，４３を開閉させることで、好みの循環経路を選択することができる。
【００２２】
このように内装パネル１は、操作部４４を操作することで使用者の好みに応じた循環経路を選択することができるが、操作部４４にはこれとは別に開閉ルーバ６１や送風ファン５の動作を自動で行なわせる自動モードも設けられている。この自動モードは、循環部１２の操作のみに設けられた機能であり、温度分布検知モードと、冷暖房連動モードとを有している。
【００２３】
温度分布検知モードは、部屋の温度分布を検知する温度分布検知手段の検知信号に基づいて送風ファン５と開閉ルーバ６１とを駆動させるモードである。温度分布検知手段は複数の温度センサーから構成されており、この複数の温度センサーは部屋の側壁の一部に上下方向に並ぶように取り付けられている。この複数の温度センサーによって部屋の温度分布の偏りが検知されると、制御部は次のような制御を行なう。まず制御部は、今現在が夏場（例えば４月〜９月）か冬場（例えば１０月〜３月）かを判断する。夏場と判断した場合、図３（ａ）に示されるように、第１の通気開口４１と第３の通気開口４３とを開放させると共に第２の通気開口４２を閉塞させるように開閉ルーバ６１を駆動させる。次いで制御部は、下方から上方に向けた空気流通方向となるように送風ファン５を駆動させる。すると、第１の通気開口４１から流入した空気は、開放した開閉ルーバ６１・送風ファン５を経由して上方に送られる。その後、開放した開閉ルーバ６１を介して第３の通気開口４３から外部に放出される。一方、制御部が冬場と判断した場合、図３（ｂ）に示されるように、第１の通気開口４１と第２の通気開口４２とを開放させると共に第３の通気開口４３を閉塞させるように開閉ルーバ６１を駆動させる。次いで制御部は、上方から下方に向けた空気流通方向となるように送風ファン５を駆動させる。すると、第２の通気開口４２から流入した空気は、開放した開閉ルーバ６１・送風ファン５を経由して下方に送られる。その後、停止した送風ファン５内を経由し、開放した開閉ルーバ６１を介して第１の通気開口４１から外部に放出される。
【００２４】
冷暖房連動モードは、部屋内で行なわれている冷暖房運転に基づいて送風ファン５と開閉ルーバ６１とを駆動させるモードである。制御部は、部屋に設けられたエアコンディショナー（以下、エアコンという）の制御部に接続されている。このエアコンが運転されている状態で冷暖房連動モードが選択されると、制御部は、エアコンが冷房運転を行なっているか暖房運転を行なっているかを判断する。制御部は、冷房運転を行なっていると判断した場合、図３（ａ）に示されるように、第１の通気開口４１と第３の通気開口４３を開放させると共に第２の通気開口４２を閉塞させるように開閉ルーバ６１を駆動させる。次いで制御部は、下方から上方に向けた空気流通方向となるように送風ファン５を駆動させる。すると、第１の通気開口４１から流入した空気は、開放した開閉ルーバ６１・送風ファン５を経由して上方に送られる。その後、開放した開閉ルーバ６１を介して第３の通気開口４３から外部に放出される。一方、制御部が暖房運転を行なっていると判断した場合、図３（ｂ）に示されるように、第１の通気開口４１と第２の通気開口４２を開放させると共に第３の通気開口４３を閉塞させるように開閉ルーバ６１を駆動させる。次いで制御部は、上方から下方に向けた空気流通方向となるように送風ファン５を駆動させる。すると、第２の通気開口４２から流入した空気は、開放した開閉ルーバ６１を経由して下方に送られる。その後、停止した送風ファン５を経由し、開放した開閉ルーバ６１を介して第１の通気開口４１から外部に放出される。
【００２５】
上記構成の内装パネル１は、パネル本体２の上下両端部及びこれらの間に設けられた通気開口４１，４２，４３により部屋内の空気を流通させることができるので、冷暖房時のいずれにおいても効果的な室内空気の循環を行なうことができる。また居住者の居る空間や居住者が体感できる高さの空気を重点的に循環させるといったこともできる。さらに本実施形態の内装パネル１は、部屋の壁面に簡単に取り付けることができるので、施工の手間を省くことができる。
【００２６】
また本実施形態の内装パネル１は、温度分布検知手段によって送風ファン５や開閉ルーバ６１が制御されるので、部屋内に暖気や冷気が滞留して温度分布に偏りが生じた場合であっても、自動的に空気循環が行なわれて快適な空間を維持させる。これにより居住者は快適に過ごすことができる。
【００２７】
また本実施形態の内装パネル１は、冷房または暖房運転に応じて送風ファン５及び開閉ルーバ６１が制御されるので、この内装パネル１が取り付けられた室内は、上方に暖気が滞留したり下方に冷気が滞留したりしにくいものとなる。これにより室内は快適な温度分布に保たれて、その室内に居る者は快適に過ごすことができる。
【００２８】
上記構成の内装パネル１は、例えば以下の使用例のようにして取り付けられる。本使用例は、図４に示されるように、内装パネル１が対向する２つの間柱８間に配設されるものである。本使用例は、２つの間柱８の対向面間にパネル本体２の背面部３の大部分が埋設されており、前面部４が間柱８の前方に位置している。この前面部４がねじや釘などの固着具を用いて間柱８に固定される。このように取り付けられた内装パネル１は、厚みのある部分が間柱８間に埋め込まれているため、室内側のスペースをほとんど利用しない。これにより室内の居住スペースを広く確保することができるようになる。
【００２９】
なお、本実施形態の扉体６は開閉ルーバ６１によって構成されていたが、本発明の扉体は、上下又は左右にスライドして開閉するシャッターや、一枚の枢支された蓋が回動する構成など開閉可能な手段であればよく、特に限定されるものではない。
【００３０】
なお、循環部１２が図３（ａ）の運転を行なう場合、調湿部１１は次のように動作する。第１の通気開口４１から流入した空気は、送風ファン５１を通過して上昇し、下調湿材７０ｂを流通する。その後、下調湿材７０ｂから出た調湿された空気は、下調湿材７０ｂと上調湿材７０ａとの間から第３の通気開口４３に到達し、開放した開閉ルーバ６１を介して第３の通気開口４３から外方に流出する。
【００３１】
他方、循環部１２が図３（ｂ）の運転を行なう場合、調湿部１１は次のように動作する。第１の通気開口４１から流入した空気は、下端から下調湿材７０ｂに流入すると共にその内部を流通し、下調湿材７０ｂの上端から流出する。次いで上調湿材７０ａに流入し、その内部を流通する。その後、上調湿材７０ａの上端から出た調湿された空気は、第２の通気開口４２に到達し、開放した開閉ルーバ６１を介して第２の通気開口４２から外方に流出する。
【００３２】
次に他の使用例として、図５に示す使用例を説明する。
【００３３】
本使用例は、間柱８の前面に配設された内壁材８１のさらに前面側に本実施形態の内装パネル１が取り付けられたものである。内装パネル１は、内壁面の前面の所望の部位に、ねじや釘などの固着具を用いて取り付けられる。本使用例によれば、本実施形態の内装パネル１を既存の壁面に対しても設置することができる。例えば、棚や収納箱の間のスペースにある壁面を利用して取り付けてもよい。なお、図５中の符号Ｓは、スペーサ部材である。
【００３４】
本実施形態の内装パネル１は、制御部により温度分布に基づいて制御したり冷暖房運転と連動して制御したりしたものであったが、本発明の内装パネルは手動で扉体を開閉してもよく、本発明においては制御部は必ずしも必要な構成ではない。また本発明の内装パネルにおいては、温度分布に基づく送風ファンや扉体の駆動制御は、上記実施形態のものに限定されるものではない。
【００３５】
また本実施形態の温度分布検知手段は部屋の壁面に設けられていたが、本発明の温度分布検知手段は、パネル本体に上下に並ぶように設けられていてもよく、特に限定されるものではない。また本発明の温度分布検知手段は、複数の温度センサーにのみ限定されるものではない。
【符号の説明】
【００３６】
１      内装パネル
１１    調湿部
１２    循環部
２      パネル本体
２１    連通路
２２    調湿用連通路
２３    サーキュレータ用連通路
３      背面部
４      前面部
４１    第１の通気開口
４２    第２の通気開口
４３    第３の通気開口
４４    操作部
５      送風ファン
６      扉体
６１    開閉ルーバ
６２    カバー体
【図１】
0005513950.tif 000002
【図２】
0005513950.tif 000003
【図３】
0005513950.tif 000004
【図４】
0005513950.tif 000005
【図５】
0005513950.tif 000006